(57)【要約】【課題】本発明は、ループ内フィルタ処理を伴って符号化された動画像の符号化ストリームを復号して再符号化するときにあって、画質劣化がほとんど生じない再符号化を実現し、また、画質劣化が少ない効率的な再符号化を実現する技術の提供を目的とする。【解決手段】ループ内フィルタ処理を伴って符号化された動画像の符号化ストリームを復号して再符号化するときにあって、復号部におけるループ内フィルタ処理直前の画像を出力して、その映像に対して、前段の符号化パラメータを完全継承したり、そのほとんどを継承しながら再符号化を行うという構成を採る。この構成に従い、Ｈ.264のようなループ内フィルタ処理を伴い、ループ内フィルタ処理後の画像を復号画像とする動画像符号化方式においても、画質劣化がほとんど生じない再符号化を実現することができるようになり、また、画質劣化が少ない効率的な再符号化を実現することができるようになる。【選択図】図１
2006237759.tif 000002
【特許請求の範囲】
【請求項１】
ループ内フィルタ処理を伴って符号化された動画像の符号化ストリームを復号して再符号化する動画像再符号化方法であって、
上記符号化ストリームを復号するときに、ループ内フィルタ処理前の画像を出力または保存し、
上記ループ内フィルタ処理前の画像に対して再符号化処理を行うことを、
特徴とする動画像再符号化方法。
【請求項２】
ループ内フィルタ処理を伴って符号化された動画像の符号化ストリームを復号して再符号化する動画像再符号化方法であって、
上記符号化ストリームを復号するときに、ループ内フィルタ処理前の画像を出力または保存し、
上記ループ内フィルタ処理前の画像に対して、上記符号化ストリームの符号化パラメータと同一またはその一部を変更した符号化パラメータを用いて再符号化処理を行うことを、
特徴とする動画像再符号化方法。
【請求項３】
ループ内フィルタ処理を伴って符号化された動画像の符号化ストリームを復号して再符号化する動画像再符号化方法であって、
上記符号化ストリームを復号するときに、ループ内フィルタ処理前の画像を出力または保存するとともに、その符号化ストリームの復号した符号化パラメータを出力または保存し、
上記ループ内フィルタ処理前の画像に対して、上記符号化パラメータと同一またはその一部を変更した符号化パラメータを用いて再符号化処理を行うことを、
特徴とする動画像再符号化方法。
【請求項４】
ループ内フィルタ処理を伴って符号化された動画像の符号化ストリームを復号して再符号化する動画像再符号化方法であって、
上記符号化ストリームを復号するときに、ループ内フィルタ処理前の画像を出力または保存し、
上記符号化ストリームから符号化パラメータのみを復号して、上記ループ内フィルタ処理前の画像に対して、その復号した符号化パラメータと同一またはその一部を変更した符号化パラメータを用いて再符号化処理を行うことを、
特徴とする動画像再符号化方法。
【請求項５】
請求項２ないし４のいずれか１項に記載の動画像再符号化方法において、
上記ループ内フィルタ処理前の画像の部分的な画像領域に対して画像の変更を加え、
上記変更を加えていない画像領域については、上記符号化ストリームの符号化パラメータと同一またはその一部を変更した符号化パラメータを用いて再符号化処理を行ない、それ以外の画像領域については、上記符号化ストリームの符号化パラメータを利用しない通常の符号化処理を行うことで再符号化処理を行なうことを、
特徴とする動画像再符号化方法。
【請求項６】
請求項１ないし４のいずれか１項に記載の動画像再符号化方法において、
上記符号化ストリームを復号するときに得たループ内フィルタ処理前の画像と、上記符号化ストリームを復号するときに得たループ内フィルタ処理後の画像のいずれか一方を選択して、その選択した画像を処理対象として再符号化処理を行うことを、
特徴とする動画像再符号化方法。
【請求項７】
請求項６に記載の動画像再符号化方法において、
再符号化前後の量子化パラメータがほぼ同一となる画像領域についてはループ内フィルタ処理前の画像を選択し、それ以外の画像領域についてはループ内フィルタ処理後の画像を選択することを、
特徴とする動画像再符号化方法。
【請求項８】
ループ内フィルタ処理を伴って符号化された動画像の符号化ストリームを復号して再符号化する動画像再符号化装置であって、
上記符号化ストリームを復号するときに、ループ内フィルタ処理前の画像を出力または保存する手段を有する復号部と、
上記ループ内フィルタ処理前の画像に対して再符号化処理を行う手段を有する再符号化部とを備えることを、
特徴とする動画像再符号化装置。
【請求項９】
ループ内フィルタ処理を伴って符号化された動画像の符号化ストリームを復号して再符号化する動画像再符号化装置であって、
上記符号化ストリームを復号するときに、ループ内フィルタ処理前の画像を出力または保存する手段を有する復号部と、
上記ループ内フィルタ処理前の画像に対して、上記符号化ストリームの符号化パラメータと同一またはその一部を変更した符号化パラメータを用いて再符号化処理を行う手段を有する再符号化部とを備えることを、
特徴とする動画像再符号化装置。
【請求項１０】
ループ内フィルタ処理を伴って符号化された動画像の符号化ストリームを復号して再符号化する動画像再符号化装置であって、
上記符号化ストリームを復号するときに、ループ内フィルタ処理前の画像を出力または保存するとともに、その符号化ストリームの復号した符号化パラメータを出力または保存する手段を有する復号部と、
上記ループ内フィルタ処理前の画像に対して、上記符号化パラメータと同一またはその一部を変更した符号化パラメータを用いて再符号化処理を行う手段を有する再符号化部とを備えることを、
特徴とする動画像再符号化装置。
【請求項１１】
ループ内フィルタ処理を伴って符号化された動画像の符号化ストリームを復号して再符号化する動画像再符号化装置であって、
上記符号化ストリームを復号するときに、ループ内フィルタ処理前の画像を出力または保存する手段を有する復号部と、
上記符号化ストリームから符号化パラメータのみを復号して、上記ループ内フィルタ処理前の画像に対して、その復号した符号化パラメータと同一またはその一部を変更した符号化パラメータを用いて再符号化処理を行う手段を有する再符号化部とを備えることを、
特徴とする動画像再符号化装置。
【請求項１２】
請求項９ないし１１のいずれか１項に記載の動画像再符号化装置において、
上記ループ内フィルタ処理前の画像の部分的な画像領域に対して画像の変更を加える画像加工部を備え、
上記再符号化部は、上記画像加工部により変更の加えられていない画像領域については、上記符号化ストリームの符号化パラメータと同一またはその一部を変更した符号化パラメータを用いて再符号化処理を行ない、それ以外の画像領域については、上記符号化ストリームの符号化パラメータを利用しない通常の符号化処理を行うことで再符号化処理を行なうことを、
特徴とする動画像再符号化装置。
【請求項１３】
請求項８ないし１１のいずれか１項に記載の動画像再符号化装置において、
上記復号部は、ループ内フィルタ処理前の画像とループ内フィルタ処理後の画像の両方を出力または保存し、
上記再符号化部は、上記復号部の出力・保存する２つの画像のいずれか一方を選択して、その選択した画像を処理対象として再符号化処理を行うことを、
特徴とする動画像再符号化装置。
【請求項１４】
請求項１３に記載の動画像再符号化装置において、
上記再符号化部は、再符号化前後の量子化パラメータがほぼ同一となる画像領域についてはループ内フィルタ処理前の画像を選択し、それ以外の画像領域についてはループ内フィルタ処理後の画像を選択することを、
特徴とする動画像再符号化装置。
【請求項１５】
請求項１ないし７のいずれか１項に記載の動画像再符号化方法の実現に用いられる処理をコンピュータに実行させるための動画像再符号化プログラム。
【請求項１６】
請求項１ないし７のいずれか１項に記載の動画像再符号化方法の実現に用いられる処理をコンピュータに実行させるための動画像再符号化プログラムを記録したコンピュータ読み取り可能な記録媒体。
【発明の詳細な説明】
【技術分野】
【０００１】
本発明は、ループ内フィルタ処理を伴って符号化された動画像の符号化ストリームを復号して再符号化する動画像再符号化方法及びその装置と、その動画像再符号化方法の実現に用いられる動画像再符号化プログラム及びそのプログラムを記録したコンピュータ読み取り可能な記録媒体とに関し、特に、画質劣化がほとんど生じない再符号化を実現し、また、画質劣化が少ない効率的な再符号化を実現する動画像再符号化方法及びその装置と、その動画像再符号化方法の実現に用いられる動画像再符号化プログラム及びそのプログラムを記録したコンピュータ読み取り可能な記録媒体とに関する。
【背景技術】
【０００２】
従来、ＭＰＥＧ−２などの映像符号化方式においては、前段のＤＣＴ係数以外の符号化パラメータを全て継承して再符号化を行うことで、ほぼ画質劣化のない再符号化が可能であることが知られている（例えば、非特許文献１参照）。
【０００３】
このような性質を生かして、伝送路の障害発生時のパス切り替えにより発生することになる映像の停止を防ぐために、符号化ストリームの切り替え時に、符号化ストリームを一旦復号して再符号化することで符号化ストリームを再構成することが行われている（例えば、非特許文献２参照）。
【０００４】
また、配信センタから階層的に分散配置されたネットワーク上のノードを経由して、ＭＰＥＧ化された高品質な映像コンテンツを配信することを実現するために、変動するネットワーク負荷に応じて、伝送する映像コンテンツのビットレートを変更（トランスコード）して伝送することが行われている（例えば、非特許文献３参照）。
【非特許文献１】P.Guillotel et al., "Adaptive Encoders:The New Generation of MPEG-2 Encoders," SMPTE Journal, pp.287-294, April, 2000.
【非特許文献２】中村，吉留他，「障害時映像ストリーム切替えシステム構成方法に関する検討」，ＦＩＴ（情報科学技術フォーラム）2003, J-023.
【非特許文献３】吉留，中村他，「高速実時間マルチレートトランスコーダ構成の検討」，ＦＩＴ（情報科学技術フォーラム）2003, J-086.
【発明の開示】
【発明が解決しようとする課題】
【０００５】
一方、最新の符号化規格であるＨ.264/MPEG-4AVCでは、ブロックノイズを除去するために、ループ内フィルタであるデブロッキングフィルタ処理が新たに追加されたことから、符号化処理の可逆性が失われて、上記のような性質（ほぼ画質劣化のない再符号化が可能であるという性質）は成り立たない。
【０００６】
そのため、符号化パラメータを全て継承して再符号化しても、符号化の度に、大きな画質劣化が生ずるという問題がある。
【０００７】
これでは、最新の符号化規格であるＨ.264/MPEG-4AVCでは、符号化ストリームの再符号化を利用した符号化ストリームの連結・切り替えやトランスコードなどの方法を用いることができないことになる。
【０００８】
本発明はかかる事情に鑑みてなされたものであって、ループ内フィルタ処理を伴って符号化された動画像の符号化ストリームを復号して再符号化するときにあって、画質劣化がほとんど生じない再符号化を実現し、また、画質劣化が少ない効率的な再符号化を実現する新たな動画像再符号化技術の提供を目的とする。
【課題を解決するための手段】
【０００９】
この目的を達成するために、本発明では、ループ内フィルタ処理を伴って符号化された動画像の符号化ストリームを復号して再符号化するときにあって、デコーダにおけるループ内フィルタ処理（例えばデブロッキングフィルタ処理）の直前の画像を出力して、その映像に対して、前段の符号化パラメータを完全に継承して再符号化を行うという構成を採ることで、ループ内フィルタ処理を伴い、ループ内フィルタ処理後の画像を復号画像とするＨ.264のような動画像符号化方式においても、画質劣化がほとんど生じない再符号化を実現するものである。
【００１０】
そして、本発明では、ループ内フィルタ処理を伴って符号化された動画像の符号化ストリームを復号して再符号化するときにあって、デコーダにおけるループ内フィルタ処理（例えばデブロッキングフィルタ処理）の直前の画像を出力して、その映像に対して、前段の符号化パラメータの一部を変更しながら継承して再符号化を行うという構成を採ることで、ループ内フィルタ処理を伴い、ループ内フィルタ処理後の画像を復号画像とするＨ.264のような動画像符号化方式においても、画質劣化が少ない効率的な再符号化を実現するものである。
【００１１】
次に、本発明による再符号化により画質劣化がほとんど生じないことについて理論的に説明する。
【００１２】
図１に、本発明により構成される再符号化動作モデルを図示する。
【００１３】
ここで、図中、ＤＦ()はループ内フィルタ（例えばデブロッキングフィルタ）の処理を示し、ＴＱ()は直交変換・量子化処理を示し、ＴＱ-1()をＴＱ()の逆変換処理を示し、ＢＵＦは参照フレームバッファを示す。また、可変長符号化・算術符号化（情報源符号化）および可変長復号・算術復号（情報源復号）については省略してある。
【００１４】
この図に示すように、本発明により構成される再符号化では、ループ内フィルタ処理を伴い、ループ内フィルタ処理後の画像を復号画像とする動画像符号化方式を前提としており、この前提の下に、復号部は、デブロッキングフィルタ処理の直前の画像を出力し、再符号化部は、その映像に対して、前段の符号化パラメータを全て継承しながら再符号化を行うという構成を採る。
【００１５】
図中に示す記号を用いると、信号Ｃ、信号Ｈは、復号部のループ内フィルタＤＦをＤＦ １、再符号化部のループ内フィルタＤＦをＤＦ ２と表すならば、それぞれ、
Ｃ＝ＤＦ １（Ｅ＋Ｐ’）
Ｈ＝ＤＦ ２（Ｇ＋Ｐ”）
＝ＤＦ ２（ＴＱ-1（ＴＱ（Ｆ))＋Ｐ”）
＝ＤＦ ２（ＴＱ-1（ＴＱ（Ｅ＋Ｐ’−Ｐ”))＋Ｐ”）
と表せる。
【００１６】
今、Ｉピクチャの直後のピクチャとすると、ＭＶ（動きベクトル）および予測モードの継承により、
Ｐ’＝Ｐ”
が成立し、これにより、
Ｈ＝ＤＦ ２（ＴＱ-1（ＴＱ（Ｅ＋Ｐ’−Ｐ”))＋Ｐ”）
＝ＤＦ ２（ＴＱ-1（ＴＱ（Ｅ))＋Ｐ”）
となる。
【００１７】
ここで、“Ｅ”はすでに量子化・逆量子化された値であり、２回目の量子化・逆量子化により値がほぼ変化しないため、
Ｈ＝ＤＦ ２（ＴＱ-1（ＴＱ（Ｅ))＋Ｐ”）
＝ＤＦ ２（Ｅ＋Ｐ”）
となる。
【００１８】
ＭＶ（動きベクトル）、ＱＰ（量子化パラメータ）、符号化モードを全て継承し、ｃｂｐ（符号化ブロックパターン）と再生画像とが一致すれば、ＤＦ １とＤＦ ２のデブロッキングフィルタ強度は同じとなるため、
Ｈ＝Ｃ
が成立し、これにより、次のピクチャの予測画像についても、
Ｐ’＝Ｐ”
が成立する。
【００１９】
さらに、信号Ａは、
Ａ＝ＴＱ（Ｘ−Ｐ）
であることを考慮すると、信号Ｄは、
Ｄ＝ＴＱ（Ｂ−Ｐ”）
＝ＴＱ（ＴＱ-1（Ａ）＋Ｐ’−Ｐ”）
＝ＴＱ（ＴＱ-1（ＴＱ（Ｘ−Ｐ))＋Ｐ’−Ｐ”）
となる。
【００２０】
ここで、
Ｐ’＝Ｐ”
であり、かつ、“ＴＱ（Ｘ−Ｐ）”はすでに量子化された値であり、２回目の量子化・逆量子化により値がほぼ変化しないことを考慮すると、
Ｄ＝ＴＱ（ＴＱ-1（ＴＱ（Ｘ−Ｐ))＋Ｐ’−Ｐ”）
＝ＴＱ（Ｘ−Ｐ）
となり、よって、
Ｄ＝Ａ
となる。
【００２１】
すなわち、２段目の符号化ストリームと１段目の符号化ストリームとが一致し、再符号化によって画質劣化がほぼ生じないことが分かる。
【００２２】
ここで、上記で継承する必要のある符号化パラメータとしては、予測モード関連情報、動きベクトル、参照ピクチャ情報、量子化パラメータ、ピクチャタイプ、マクロブロックタイプなど、基本的にストリーム内の直交変換係数以外のものであり、ほとんどの情報を再符号化の際の符号化パラメータとして継承する必要がある。
【００２３】
また、上記の理論的説明では、符号化パラメータの全てを継承することにより、同一ビットレートの符号化ストリームに、ほぼ画質劣化が生ずることなく再符号化するという構成について説明したが、符号化パラメータの一部、例えば量子化パラメータや予測モードなどを変更することにより、より低いビットレートの符号化ストリームに、より少ない画質劣化で効率的に再符号化・トランスコードするという構成を採ることも可能である。
【００２４】
次に、本発明の構成についてまとめる。
【００２５】
本発明の動画像再符号化装置は、ループ内フィルタ処理を伴って符号化された動画像の符号化ストリームを復号して再符号化するときにあって、（ｉ）符号化ストリームを復号するときに、ループ内フィルタ処理前の画像を再符号化部に直接出力したり、一旦メモリに保存して、そのメモリを介して再符号化部に受け渡す手段を有する復号部と、（ii）復号部から受け取るループ内フィルタ処理前の画像に対して、符号化ストリームの符号化パラメータと同一またはその一部を変更した符号化パラメータを用いて再符号化処理を行う手段を有する再符号化部とを備えることを基本構成とする。
【００２６】
この基本構成を実現するために、本発明の動画像再符号化装置では、例えば、（イ）復号部は、符号化ストリームの復号した符号化パラメータについても出力または保存し、これを受けて、再符号化部は、復号部からその符号化パラメータを受け取って、その受け取った符号化パラメータと同一またはその一部を変更した符号化パラメータを用いて再符号化処理を行ったり、（ロ）再符号化部は、復号部に入力される符号化ストリームを受け取って、その符号化ストリームから符号化パラメータのみを復号して、その復号した符号化パラメータと同一またはその一部を変更した符号化パラメータを用いて再符号化処理を行う。
【００２７】
この構成を採るときにあって、本発明の動画像再符号化装置では、さらに、復号部の出力・保存するループ内フィルタ処理前の画像の部分的な画像領域に対して画像の変更を加える画像加工部を備えることがあり、この画像加工部を備えるときには、再符号化部は、画像加工部により変更の加えられていない画像領域については、画質劣化が生じないことを実現できるので、符号化ストリームの符号化パラメータと同一またはその一部を変更した符号化パラメータを用いて再符号化処理を行ない、それ以外の画像領域については、画像が変更されているので、符号化ストリームの符号化パラメータを利用しない通常の符号化処理を行うことで再符号化処理を行なうことになる。
【００２８】
また、この構成を採るときにあって、本発明の動画像再符号化装置では、復号部は、ループ内フィルタ処理前の画像とループ内フィルタ処理後の画像の両方を出力または保存し、これを受けて、再符号化部は、例えば、再符号化前後の量子化パラメータがほぼ同一となる画像領域については、再符号化にあたって画質劣化が生じないことを実現できるので、ループ内フィルタ処理前の画像を選択し、一方、再符号化前後の量子化パラメータが大きく変わる画像領域については、再符号化にあたってループ内フィルタ処理前の画像を選択しても画質劣化が避けられないので、ループ内フィルタ処理後の画像を選択するというように、再符号化前後での量子化パラメータの違いや画像内容に応じて、復号部の出力・保存する２つの画像のいずれか一方を選択して、その選択した画像を処理対象として再符号化処理を行う。
【００２９】
ここで、以上のように構成される本発明の動画像再符号化装置を実現する各処理手段はコンピュータプログラムでも実現できるものであり、このコンピュータプログラムは、適当なコンピュータ読み取り可能な記録媒体に記録して提供されたり、ネットワークを介して提供され、本発明を実施する際にインストールされてＣＰＵなどの制御手段上で動作することにより本発明を実現することになる。
【発明の効果】
【００３０】
以上説明したように、本発明では、ループ内フィルタ処理を伴って符号化された動画像の符号化ストリームを復号して再符号化するときにあって、復号部におけるループ内フィルタ処理直前の画像を出力して、その映像に対して、前段の符号化パラメータを完全継承したり、そのほとんどを継承しながら再符号化を行うという構成を採る。
【００３１】
この構成に従い、本発明によれば、Ｈ.264のようなループ内フィルタ処理を伴い、ループ内フィルタ処理後の画像を復号画像とする動画像符号化方式においても、画質劣化がほとんど生じない再符号化を実現することが可能であり、これにより、符号化ストリームの連結・切替・加工やトランスコードなどを完全な形で行うことができるようになる。
【００３２】
そして、この構成に従い、本発明によれば、Ｈ.264のようなループ内フィルタ処理を伴い、ループ内フィルタ処理後の画像を復号画像とする動画像符号化方式においても、画質劣化が少ない効率的な再符号化を実現することが可能であり、これにより、符号化ストリームの連結・切替・加工やトランスコードなどを完全に近い形で効率的に行うことができるようになる。
【発明を実施するための最良の形態】
【００３３】
以下、実施の形態に従って本発明を詳細に説明する。
【００３４】
〔１〕第１の実施形態例
図２に、本発明の動画像再符号化装置１の装置構成の一実施形態例を図示する。
【００３５】
この図に示すように、本発明の動画像再符号化装置１は、デブロッキングフィルタ処理を伴って符号化された動画像の符号化ストリームを入力として、その符号化ストリームを復号するとともに、その復号の際に、デブロッキングフィルタ処理前の画像を出力する図１に示した復号部のように構成される復号部１０と、復号部１０の出力するデブロッキングフィルタ処理前の画像を入力として、その映像を符号化することで新たな符号化ストリームを生成して出力する図１に示した再符号化部のように構成される再符号化部１１とを備える。
【００３６】
図３に、本実施形態例における復号部１０の実行する処理フローの一例を図示し、図４に、本実施形態例における再符号化部１１の実行する処理フローの一例を図示する。
【００３７】
次に、これらの処理フローに従って、このように構成される本発明の動画像再符号化装置１の処理について説明する。
【００３８】
〔１−１〕復号部１０の処理
復号部１０は、図３の処理フローに示すように、デブロッキングフィルタ処理を伴って符号化された動画像の符号化ストリームを入力すると（Ｓ１０）、復号対象ブロックを決めて（Ｓ１１）、その復号対象ブロックについて情報源復号処理を行う（Ｓ１２）。ここで、情報源復号処理とは可変長復号や算術復号をさす。
【００３９】
続いて、復号対象ブロックの係数情報を逆量子化・逆直交変換して差分画像を生成する（Ｓ１３）。続いて、情報源復号処理により得た動きベクトル・予測モードの情報と、参照フレームバッファに保存されている参照画像とから復号対象ブロックの予測画像を生成する（Ｓ１４）。
【００４０】
続いて、復号対象ブロックの差分画像に予測画像を加算し（Ｓ１５）、この加算した画像をデブロッキングフィルタ処理前の画像として、復号部１０より出力する（Ｓ１６）。このとき、この処理フローではメモリＡに保存することで復号部１０より出力することを想定しているが、再符号化部１１に直接出力することも可能である。
【００４１】
続いて、その加算した画像に対してデブロッキングフィルタ処理を行ない（Ｓ１７）、そのデブロッキングフィルタ処理後の画像、すなわち復号画像を参照画像として参照フレームバッファに保存する（Ｓ１８）。
【００４２】
これを全てのブロックについて行うとともに（Ｓ１９）、符号化ストリームが終了するまで、この処理を繰り返す（Ｓ２０）。
【００４３】
〔１−２〕再符号化部１１の処理
一方、再符号化部１１は、図４の処理フローに示すように、例えばメモリＡから復号部１０の出力するデブロッキングフィルタ処理前の画像を入力すると（Ｓ３０）、再符号化対象ブロックを決めて（Ｓ３１）、その再符号化対象ブロックについて、動き探索・各種予測モード探索により動きベクトル・予測モードを決定する（Ｓ３２）。
【００４４】
続いて、参照フレームバッファに保存されている参照画像と、その動きベクトル・予測モードとから再符号化対象ブロックの予測画像を生成する（Ｓ３３）。続いて、再符号化対象ブロックの入力画像から予測画像を減算して差分画像を生成する（Ｓ３４）。
【００４５】
続いて、その差分画像を直交変換・量子化して係数情報を生成し（Ｓ３５）、その係数情報と各種符号化パラメータとを情報源符号化する（Ｓ３６）。ここで、情報源符号化とは可変長符号化や算術符号化をさす。
【００４６】
続いて、再符号化対象ブロックの係数情報を逆量子化・逆直交変換し予測画像を加算して、デブロッキングフィルタ処理を行ない（Ｓ３７）、そのデブロッキングフィルタ処理後の画像、すなわち再生画像を参照画像として参照フレームバッファに保存する（Ｓ３８）。
【００４７】
これを全てのブロックについて行うとともに（Ｓ３９）、入力画像が終了するまで、この処理を繰り返す（Ｓ４０）。
【００４８】
このようにして、図２のように構成される本発明の動画像再符号化装置１では、再符号化部１１は、復号部１０の出力するデブロッキングフィルタ処理前の画像を入力として、その映像を再符号化することで新たな符号化ストリームを生成して出力するように処理するのである。
【００４９】
このように、本実施形態例によれば、再符号化部１１は、前段の符号化情報を継承しないで再符号化を行うことから、再符号化による画質は劣化するものの、復号部１０と再符号化部１１との間の情報のやりとりが画像のみとなることから、装置構成が単純になるという長所がある。
【００５０】
〔２〕第２の実施形態例
図５に、本発明の動画像再符号化装置１の装置構成の他の実施形態例を図示する。
【００５１】
本実施形態例と図２に示す実施形態例との違いは、本実施形態例では、復号部１０は、再符号化部１１に対して、デブロッキングフィルタ処理前の画像を出力することに加えて、符号化情報（各種符号化パラメータの情報）を出力するという構成を採り、これを受けて、再符号化部１１は、復号部１０の出力するデブロッキングフィルタ処理前の画像と符号化情報とを入力して、入力したデブロッキングフィルタ処理前の画像を、入力した符号化情報を用いて再符号化を行うことで新たな符号化ストリームを生成するという構成を採るという点である。
【００５２】
図６に、本実施形態例における復号部１０の実行する処理フローの一例を図示し、図７に、本実施形態例における再符号化部１１の実行する処理フローの一例を図示する。
【００５３】
ここで、図６の処理フローと図３の処理フローとの違いは、図６の処理フローでは、ステップ１８（Ｓ１８）とステップ１９（Ｓ１９）との間に、新たにステップ１０００（Ｓ１０００）という処理が設けられている点である。
【００５４】
また、図７の処理フローと図４の処理フローとの違いは、図７の処理フローでは、ステップ３０（Ｓ３０）とステップ３１（Ｓ３１）との間に、新たにステップ３０００（Ｓ３０００）という処理が設けられている点と、図４の処理フローで設けられていたステップ３２（Ｓ３２）の処理が実行されないという点と、図４の処理フローで設けられていたステップ３３（Ｓ３３）の処理に代えて、ステップ３３αという処理を実行するという点である。
【００５５】
次に、これらの処理フローに従って、このように構成される本発明の動画像再符号化装置１の処理について説明する。
【００５６】
〔２−１〕復号部１０の処理
復号部１０は、図６の処理フローに示すように、デブロッキングフィルタ処理を伴って符号化された動画像の符号化ストリームを入力すると（Ｓ１０）、復号対象ブロックを決めて（Ｓ１１）、その復号対象ブロックについて情報源復号処理を行う（Ｓ１２）。ここで、情報源復号処理とは可変長復号や算術復号をさす。
【００５７】
続いて、復号対象ブロックの係数情報を逆量子化・逆直交変換して差分画像を生成する（Ｓ１３）。続いて、情報源復号処理により得た動きベクトル・予測モードの情報と、参照フレームバッファに保存されている参照画像とから復号対象ブロックの予測画像を生成する（Ｓ１４）。
【００５８】
続いて、復号対象ブロックの差分画像に予測画像を加算し（Ｓ１５）、この加算した画像をデブロッキングフィルタ処理前の画像として、復号部１０より出力する（Ｓ１６）。このとき、この処理フローではメモリＡに保存することで復号部１０より出力することを想定しているが、再符号化部１１に直接出力することも可能である。
【００５９】
続いて、その加算した画像に対してデブロッキングフィルタ処理を行ない（Ｓ１７）、そのデブロッキングフィルタ処理後の画像、すなわち復号画像を参照画像として参照フレームバッファに保存する（Ｓ１８）。
【００６０】
続いて、復号対象ブロックの各種符号化パラメータを符号化情報として、復号部１０より出力する（Ｓ１０００）。このとき、この処理フローではメモリＢに保存することで復号部１０より出力することを想定しているが、再符号化部１１に直接出力することも可能である。
【００６１】
これを全てのブロックについて行うとともに（Ｓ１９）、符号化ストリームが終了するまで、この処理を繰り返す（Ｓ２０）。
【００６２】
〔２−２〕再符号化部１１の処理
一方、再符号化部１１は、図７の処理フローに示すように、例えばメモリＡから復号部１０の出力するデブロッキングフィルタ処理前の画像を入力し（Ｓ３０）、例えばメモリＢから復号部１０の出力する符号化情報を入力すると（Ｓ３０００）、再符号化対象ブロックを決める（Ｓ３１）。
【００６３】
続いて、その再符号化対象ブロックについて、参照フレームバッファに保存されている参照画像と、入力した符号化情報の持つ再符号化対象ブロックの動きベクトル・予測モードとから再符号化対象ブロックの予測画像を生成する（Ｓ３３α）。続いて、再符号化対象ブロックの入力画像から予測画像を減算して差分画像を生成する（Ｓ３４）。
【００６４】
続いて、その差分画像を直交変換・量子化して係数情報を生成し（Ｓ３５）、その係数情報と各種符号化パラメータとを情報源符号化する（Ｓ３６）。ここで、情報源符号化とは可変長符号化や算術符号化をさす。
【００６５】
続いて、再符号化対象ブロックの係数情報を逆量子化・逆直交変換し予測画像を加算して、デブロッキングフィルタ処理を行ない（Ｓ３７）、そのデブロッキングフィルタ処理後の画像、すなわち再生画像を参照画像として参照フレームバッファに保存する（Ｓ３８）。
【００６６】
これを全てのブロックについて行うとともに（Ｓ３９）、入力画像が終了するまで、この処理を繰り返す（Ｓ４０）。
【００６７】
このようにして、図５のように構成される本発明の動画像再符号化装置１では、再符号化部１１は、復号部１０の出力するデブロッキングフィルタ処理前の画像と符号化情報とを入力して、入力したデブロッキングフィルタ処理前の画像を、入力した符号化情報を用いて再符号化を行うことで新たな符号化ストリームを生成して出力するように処理するのである。
【００６８】
このように、本実施形態例によれば、再符号化部１１は、デブロッキングフィルタ処理前の画像を処理対象として、前段の符号化情報を継承して再符号化を行うことから、画質劣化がほとんどない生じない再符号化を実行できるようになるという長所がある。
【００６９】
〔３〕第３の実施形態例
図８に、本発明の動画像再符号化装置１の装置構成の他の実施形態例を図示する。
【００７０】
本実施形態例と図２に示す実施形態例との違いは、本実施形態例では、再符号化部１１は、復号部１０に入力される符号化ストリームを入力として、その中に含まれる符号化情報のみを復号する符号化情報復号部１１０と、復号部１０の出力するデブロッキングフィルタ処理前の画像と符号化情報復号部１１０の復号する符号化情報とを入力として、入力したデブロッキングフィルタ処理前の画像を、入力した符号化情報を用いて再符号化を行うことで新たな符号化ストリームを生成して出力する符号化部１１１とを備えるもので構成されるという点である。
【００７１】
図９に、本実施形態例における復号部１０、符号化情報復号部１１０および符号化部１１１の実行する処理フローの一例を図示する。
【００７２】
ここで、この図に示すように、本実施形態例における復号部１０は、上述した図３の処理フローを実行し、本実施形態例における符号化部１１１は、上述した図７の処理フローを実行することになる。
【００７３】
次に、この処理フローに従って、このように構成される本発明の動画像再符号化装置１の処理について説明する。
【００７４】
〔３−１〕復号部１０の処理
復号部１０は、図３の処理フローに示すように、デブロッキングフィルタ処理を伴って符号化された動画像の符号化ストリームを入力すると（Ｓ１０）、復号対象ブロックを決めて（Ｓ１１）、その復号対象ブロックについて情報源復号処理を行う（Ｓ１２）。ここで、情報源復号処理とは可変長復号や算術復号をさす。
【００７５】
続いて、復号対象ブロックの係数情報を逆量子化・逆直交変換して差分画像を生成する（Ｓ１３）。続いて、情報源復号処理により得た動きベクトル・予測モードの情報と、参照フレームバッファに保存されている参照画像とから復号対象ブロックの予測画像を生成する（Ｓ１４）。
【００７６】
続いて、復号対象ブロックの差分画像に予測画像を加算し（Ｓ１５）、この加算した画像をデブロッキングフィルタ処理前の画像として、例えばメモリＡに保存することで復号部１０より出力する（Ｓ１６）。
【００７７】
続いて、その加算した画像に対してデブロッキングフィルタ処理を行ない（Ｓ１７）、そのデブロッキングフィルタ処理後の画像、すなわち復号画像を参照画像として参照フレームバッファに保存する（Ｓ１８）。
【００７８】
これを全てのブロックについて行うとともに（Ｓ１９）、符号化ストリームが終了するまで、この処理を繰り返す（Ｓ２０）。
【００７９】
〔３−２〕符号化情報復号部１１０の処理
一方、符号化情報復号部１１０は、図９中の処理フローに示すように、復号部１０に入力される符号化ストリームを入力すると（Ｓ５０）、復号対象ブロックを決めて（Ｓ５１）、その復号対象ブロックについて情報源復号処理を行う（Ｓ５２）。ここで、情報源復号処理とは可変長復号や算術復号をさす。
【００８０】
続いて、復号した復号対象ブロックの各種符号化パラメータを符号化情報として、例えばメモリＢに保存することで符号化情報復号部１１０より出力する（Ｓ５３）。
【００８１】
これを全てのブロックについて行うとともに（Ｓ５４）、符号化ストリームが終了するまで、この処理を繰り返す（Ｓ５５）。
【００８２】
〔３−３〕符号化部１１１の処理
一方、符号化部１１１は、図７の処理フローに示すように、例えばメモリＡから復号部１０の出力するデブロッキングフィルタ処理前の画像を入力し（Ｓ３０）、例えばメモリＢから符号化情報復号部１１０の出力する符号化情報を入力すると（Ｓ３０００）、再符号化対象ブロックを決める（Ｓ３１）。
【００８３】
続いて、その再符号化対象ブロックについて、参照フレームバッファに保存されている参照画像と、入力した符号化情報の持つ再符号化対象ブロックの動きベクトル・予測モードとから再符号化対象ブロックの予測画像を生成する（Ｓ３３α）。続いて、再符号化対象ブロックの入力画像から予測画像を減算して差分画像を生成する（Ｓ３４）。
【００８４】
続いて、その差分画像を直交変換・量子化して係数情報を生成し（Ｓ３５）、その係数情報と各種符号化パラメータとを情報源符号化する（Ｓ３６）。ここで、情報源符号化とは可変長符号化や算術符号化をさす。
【００８５】
続いて、再符号化対象ブロックの係数情報を逆量子化・逆直交変換し予測画像を加算して、デブロッキングフィルタ処理を行ない（Ｓ３７）、そのデブロッキングフィルタ処理後の画像、すなわち再生画像を参照画像として参照フレームバッファに保存する（Ｓ３８）。
【００８６】
これを全てのブロックについて行うとともに（Ｓ３９）、入力画像が終了するまで、この処理を繰り返す（Ｓ４０）。
【００８７】
このようにして、図８のように構成される本発明の動画像再符号化装置１では、再符号化部１１は、復号部１０に入力される符号化ストリームの符号化情報のみを復号するとともに、復号部１０の出力するデブロッキングフィルタ処理前の画像を入力して、入力したデブロッキングフィルタ処理前の画像を、復号した符号化情報を用いて再符号化を行うことで新たな符号化ストリームを生成して出力するように処理するのである。
【００８８】
このように、本実施形態例によれば、図５で示した実施形態例と同様に、再符号化部１１は、デブロッキングフィルタ処理前の画像を処理対象として、前段の符号化情報を継承して再符号化を行うことから、画質劣化がほとんどない生じない再符号化を実行できるようになるとともに、前段の符号化情報を復号する符号化情報復号部１１０と再符号化を行う符号化部１１１とを密結合に実装可能になることで、規格化が進んでいない再符号化情報の伝送フォーマットを新たに規定する必要がないという長所がある。
【００８９】
〔４〕第４の実施形態例
図１０に、本発明の動画像再符号化装置１の装置構成の他の実施形態例を図示する。
【００９０】
本実施形態例と図５に示す実施形態例との違いは、本実施形態例では、復号部１０と再符号化部１１との間に、復号部１０の出力するデブロッキングフィルタ処理前の画像と符号化情報とを入力として、その入力画像の部分的な画像領域に別の画像情報を重畳する処理を行う画像加工部１２を備えるという構成を採る点であり、この画像加工部１２を設けることを受けて、再符号化部１１は、画像加工部１２の出力するデブロッキングフィルタ処理前の画像（加工された画像）と符号化情報とを入力として、入力したデブロッキングフィルタ処理前の画像（加工された画像）を、入力した符号化情報を用いて再符号化を行うことで新たな符号化ストリームを生成して出力するという構成を採る点である。
【００９１】
図１１に、本実施形態例における画像加工部１２の実行する処理フローの一例を図示し、図１２及び図１３に、本実施形態例における再符号化部１１の実行する処理フローの一例を図示する。
【００９２】
ここで、本実施形態例における復号部１０は、上述した図６の処理フローを実行することになる。
【００９３】
次に、これらの処理フローに従って、このように構成される本発明の動画像再符号化装置１の処理について説明する。
【００９４】
〔４−１〕復号部１０の処理
復号部１０は、図６の処理フローに示すように、デブロッキングフィルタ処理を伴って符号化された動画像の符号化ストリームを入力すると（Ｓ１０）、復号対象ブロックを決めて（Ｓ１１）、その復号対象ブロックについて情報源復号処理を行う（Ｓ１２）。ここで、情報源復号処理とは可変長復号や算術復号をさす。
【００９５】
続いて、復号対象ブロックの係数情報を逆量子化・逆直交変換して差分画像を生成する（Ｓ１３）。続いて、情報源復号処理により得た動きベクトル・予測モードの情報と、参照フレームバッファに保存されている参照画像とから復号対象ブロックの予測画像を生成する（Ｓ１４）。
【００９６】
続いて、復号対象ブロックの差分画像に予測画像を加算し（Ｓ１５）、この加算した画像をデブロッキングフィルタ処理前の画像として、例えばメモリＡに保存することで復号部１０より出力する（Ｓ１６）。
【００９７】
続いて、その加算した画像に対してデブロッキングフィルタ処理を行ない（Ｓ１７）、そのデブロッキングフィルタ処理後の画像、すなわち復号画像を参照画像として参照フレームバッファに保存する（Ｓ１８）。
【００９８】
続いて、復号対象ブロックの各種符号化パラメータを符号化情報として、例えばメモリＢに保存することで復号部１０より出力する（Ｓ１０００）。
【００９９】
これを全てのブロックについて行うとともに（Ｓ１９）、符号化ストリームが終了するまで、この処理を繰り返す（Ｓ２０）。
【０１００】
〔４−２〕画像加工部１２の処理
一方、画像加工部１２は、図１１の処理フローに示すように、例えばメモリＡから復号部１０の出力するデブロッキングフィルタ処理前の画像を入力し（Ｓ６０）、例えばメモリＢから復号部１０の出力する符号化情報を入力して（Ｓ６１）、重畳画像を入力する（Ｓ６２）。
【０１０１】
続いて、処理対象ブロックを決めて（Ｓ６３）、その処理対象ブロックに、入力した重畳画像信号があるのかを判断する（Ｓ６４）。
【０１０２】
この判断処理により、処理対象ブロックに重畳画像信号があることを判断するときには、処理対象ブロックの入力画像に対して重畳画像を重畳加工して（Ｓ６５）、処理対象ブロックの符号化情報に画像加工フラグを付加し（Ｓ６６）、これに対して、処理対象ブロックに重畳画像信号がないことを判断するときには、処理対象ブロックの符号化情報に画像加工フラグを付加しないようにする（Ｓ６７）。
【０１０３】
続いて、処理対象ブロックの各種符号化パラメータを符号化情報として、例えばメモリＢ’に保存することで画像加工部１２より出力する（Ｓ６８）。続いて、処理対象ブロックの画像であるデブロッキングフィルタ処理前の画像を、例えばメモリＡ’に保存することで画像加工部１２より出力する（Ｓ６９）。
【０１０４】
これを全てのブロックについて行うとともに（Ｓ７０）、入力画像が終了するまで、この処理を繰り返す（Ｓ７１）。
【０１０５】
〔４−３〕再符号化部１１の処理
一方、再符号化部１１は、図１２及び図１３の処理フローに示すように、例えばメモリＡ’から画像加工部１２の出力するデブロッキングフィルタ処理前の画像（加工された画像）を入力し（Ｓ８０）、例えばメモリＢ’から画像加工部１２の出力する符号化情報を入力すると（Ｓ８１）、再符号化対象ブロックを決める（Ｓ８２）。
【０１０６】
続いて、その再符号化対象ブロックに画像加工フラグが付加されているのかを判断して（Ｓ８３）、画像加工フラグが付加されていることを判断する場合には、画像が加工されたことにより符号化情報を継承することができないことを判断して、再符号化対象ブロックについて、動き探索・各種予測モード探索により動きベクトル・予測モードを決定して（Ｓ８４）、参照フレームバッファに保存されている参照画像と、その動きベクトル・予測モードとから再符号化対象ブロックの予測画像を生成する（Ｓ８５）。
【０１０７】
これに対して、再符号化対象ブロックに画像加工フラグが付加されていないことを判断する場合には、画像が加工されていないことにより符号化情報を継承することができることを判断して、参照フレームバッファに保存されている参照画像と、入力した符号化情報の持つ再符号化対象ブロックの動きベクトル・予測モードとから再符号化対象ブロックの予測画像を生成する（Ｓ８６）。
【０１０８】
続いて、再符号化対象ブロックの入力画像から予測画像を減算して差分画像を生成する（Ｓ８７）。続いて、その差分画像を直交変換・量子化して係数情報を生成し（Ｓ８８）、その係数情報と各種符号化パラメータとを情報源符号化する（Ｓ８９）。ここで、情報源符号化とは可変長符号化や算術符号化をさす。
【０１０９】
続いて、再符号化対象ブロックの係数情報を逆量子化・逆直交変換し予測画像を加算して、デブロッキングフィルタ処理を行ない（Ｓ９０）、そのデブロッキングフィルタ処理後の画像、すなわち再生画像を参照画像として参照フレームバッファに保存する（Ｓ９１）。
【０１１０】
これを全てのブロックについて行うとともに（Ｓ９２）、入力画像が終了するまで、この処理を繰り返す（Ｓ９３）。
【０１１１】
このようにして、図１０のように構成される本発明の動画像再符号化装置１では、復号部１０の復号する復号画像に対して画像加工を行うのではなくて、復号部１０の出力するデブロッキングフィルタ処理前の画像に対して画像加工を行うとともに、加工された画像領域については通常の再符号化を行ない、加工されていない画像領域については前段の符号化情報を継承して再符号化を行うように処理するのである。
【０１１２】
このように、本実施形態例によれば、再符号化にあたって画像の加工を行う場合にも、画質劣化の少ない再符号化を実行できるようになるという長所がある。
【０１１３】
〔５〕第５の実施形態例
図１４に、本発明の動画像再符号化装置１の装置構成の他の実施形態例を図示する。
【０１１４】
本実施形態例と図５に示す実施形態例との違いは、本実施形態例では、復号部１０は、デブロッキングフィルタ処理前の画像と符号化情報とを出力することに加えて、デブロッキングフィルタ処理後の画像である復号画像を出力するという構成を採る点であり、これを受けて、再符号化部１１は、再符号化対象ブロック毎に、画像内容や量子化パラメータに応じて、復号画像を入力するか、デブロッキングフィルタ処理前の画像を入力するのかを適応的に選択して、その入力した画像を再符号化するという構成を採る点である。
【０１１５】
図１５に、本実施形態例における復号部１０の実行する処理フローの一例を図示し、図１６及び図１７に、本実施形態例における再符号化部１１の実行する処理フローの一例を図示する。
【０１１６】
次に、これらの処理フローに従って、このように構成される本発明の動画像再符号化装置１の処理について説明する。
【０１１７】
〔５−１〕復号部１０の処理
復号部１０は、図１５の処理フローに示すように、デブロッキングフィルタ処理を伴って符号化された動画像の符号化ストリームを入力すると（Ｓ１００）、復号対象ブロックを決めて（Ｓ１０１）、その復号対象ブロックについて情報源復号処理を行う（Ｓ１０２）。ここで、情報源復号処理とは可変長復号や算術復号をさす。
【０１１８】
続いて、復号対象ブロックの係数情報を逆量子化・逆直交変換して差分画像を生成する（Ｓ１０３）。続いて、情報源復号処理により得た動きベクトル・予測モードの情報と、参照フレームバッファに保存されている参照画像とから復号対象ブロックの予測画像を生成する（Ｓ１０４）。
【０１１９】
続いて、復号対象ブロックの差分画像に予測画像を加算し（Ｓ１０５）、この加算した画像をデブロッキングフィルタ処理前の画像として、例えばメモリＡに保存することで復号部１０より出力する（Ｓ１０６）。
【０１２０】
続いて、その加算した画像に対してデブロッキングフィルタ処理を行ない（Ｓ１０７）、そのデブロッキングフィルタ処理後の画像、すなわち復号画像を例えばメモリＣに保存することで復号部１０より出力する（Ｓ１０８）。
【０１２１】
続いて、そのデブロッキングフィルタ処理後の画像、すなわち復号画像を参照画像として参照フレームバッファに保存する（Ｓ１０９）。続いて、復号対象ブロックの各種符号化パラメータを符号化情報として、例えばメモリＢに保存することで復号部１０より出力する（Ｓ１１０）。
【０１２２】
これを全てのブロックについて行うとともに（Ｓ１１１）、符号化ストリームが終了するまで、この処理を繰り返す（Ｓ１１２）。
【０１２３】
〔５−２〕再符号化部１１の処理
一方、再符号化部１１は、図１６及び図１７の処理フローに示すように、例えばメモリＢから復号部１０の出力する符号化情報を入力すると（Ｓ２００）、再符号化対象ブロックを決める（Ｓ２０１）。
【０１２４】
続いて、その再符号化対象ブロックの再符号化前後の量子化パラメータの差が規定の閾値より小さいのかを判断して（Ｓ２０２）、小さいことを判断する場合には、例えばメモリＡから復号部１０の出力する再符号化対象ブロックについてのデブロッキングフィルタ処理前の画像を入力し（Ｓ２０３）、これに対して、小さくないことを判断する場合には、例えばメモリＣから復号部１０の出力する再符号化対象ブロックについての復号画像を入力する（Ｓ２０４）。
【０１２５】
続いて、参照フレームバッファに保存されている参照画像と、入力した符号化情報の持つ再符号化対象ブロックの動きベクトル・予測モードとから再符号化対象ブロックの予測画像を生成する（Ｓ２０５）。
【０１２６】
続いて、再符号化対象ブロックの入力画像から予測画像を減算して差分画像を生成する（Ｓ２０６）。続いて、その差分画像を直交変換・量子化して係数情報を生成し（Ｓ２０７）、その係数情報と各種符号化パラメータとを情報源符号化する（Ｓ２０８）。ここで、情報源符号化とは可変長符号化や算術符号化をさす。
【０１２７】
続いて、再符号化対象ブロックの係数情報を逆量子化・逆直交変換し予測画像を加算して、デブロッキングフィルタ処理を行ない（Ｓ２０９）、そのデブロッキングフィルタ処理後の画像、すなわち再生画像を参照画像として参照フレームバッファに保存する（Ｓ２１０）。
【０１２８】
これを全てのブロックについて行うとともに（Ｓ２１１）、入力画像が終了するまで、この処理を繰り返す（Ｓ２１２）。
【０１２９】
このようにして、図１４のように構成される本発明の動画像再符号化装置１では、再符号化前後の量子化パラメータがほぼ同一となるブロックについては、再符号化にあたって画質劣化が生じないことを実現できるので、デブロッキングフィルタ処理前の画像を選択し、一方、再符号化前後の量子化パラメータが大きく変わるブロックについては、再符号化にあたってデブロッキングフィルタ処理前の画像を選択しても画質劣化が避けられないので、デブロッキングフィルタ処理後の画像を選択して、その選択した画像を再符号化するように処理するのである。
【０１３０】
このように、本実施形態例によれば、再符号化前後での量子化パラメータの違いや画像内容に応じて、より少ない画質で再符号化を行うことができるようになる。
【０１３１】
図示実施形態例について説明したが、本発明はこれに限定されるものではない。例えば、実施形態例では、ループ内フィルタとしてデブロッキングフィルタを用いることを想定したが、本発明はその適用がデブロッキングフィルタに限られるものではなく、どのようなループ内フィルタが用いられる場合にも、そのまま適用できるものである。
【０１３２】
また、実施形態例では、符号化パラメータの全てを継承することにより、同一ビットレートの符号化ストリームに、ほぼ画質劣化が生ずることなく再符号化するという構成について説明したが、符号化パラメータの一部、例えば量子化パラメータや予測モードなどを変更することにより、より低いビットレートの符号化ストリームに、より少ない画質劣化で効率的に再符号化するという構成を採ることも可能である。
【図面の簡単な説明】
【０１３３】
【図１】本発明により構成される再符号化動作モデルの説明図である。
【図２】第１の実施形態例における動画像再符号化装置の装置構成図である。
【図３】第１の実施形態例における復号部の実行する処理フローである。
【図４】第１の実施形態例における再符号化部の実行する処理フローである。
【図５】第２の実施形態例における動画像再符号化装置の装置構成図である。
【図６】第２の実施形態例における復号部の実行する処理フローである。
【図７】第２の実施形態例における再符号化部の実行する処理フローである。
【図８】第３の実施形態例における動画像再符号化装置の装置構成図である。
【図９】第３の実施形態例における復号部、符号化情報復号部および符号化部の実行する処理フローである。
【図１０】第４の実施形態例における動画像再符号化装置の装置構成図である。
【図１１】第４の実施形態例における画像加工部の実行する処理フローである。
【図１２】第４の実施形態例における再符号化部の実行する処理フローである。
【図１３】第４の実施形態例における再符号化部の実行する処理フローである。
【図１４】第５の実施形態例における動画像再符号化装置の装置構成図である。
【図１５】第５の実施形態例における復号部の実行する処理フローである。
【図１６】第５の実施形態例における再符号化部の実行する処理フローである。
【図１７】第５の実施形態例における再符号化部の実行する処理フローである。
【符号の説明】
【０１３４】
１      動画像再符号化装置
１０    復号部
１１    再符号化部
１２    画像加工部
１１０  符号化情報復号部
１１１  符号化部
【図１】
2006237759.tif 000003
【図２】
2006237759.tif 000004
【図３】
2006237759.tif 000005
【図４】
2006237759.tif 000006
【図５】
2006237759.tif 000007
【図６】
2006237759.tif 000008
【図７】
2006237759.tif 000009
【図８】
2006237759.tif 000010
【図９】
2006237759.tif 000011
【図１０】
2006237759.tif 000012
【図１１】
2006237759.tif 000013
【図１２】
2006237759.tif 000014
【図１３】
2006237759.tif 000015
【図１４】
2006237759.tif 000016
【図１５】
2006237759.tif 000017
【図１６】
2006237759.tif 000018
【図１７】
2006237759.tif 000019